(57)【要約】【課題】優れた安全性を確保しつつ歩行者などに対して効果的に注意喚起を行うことができる新規な表示付きホース保護カバーの提供。【解決手段】ホース２００を覆うようにその外側に被せされるスリーブ状のカバー本体１０の表面に注意喚起用の表示部２０を備える。これによって、万一そのホース２００に穴があいたり破裂した場合でも内部流体の飛散を防止できるだけでなく、そのカバー本体１０の表面に形成された注意喚起用の表示部２０によって歩行者に対して効果的に注意を喚起することができる。【選択図】図１
0003215047.tif 000002
【実用新案登録請求の範囲】
【請求項１】
地面または床面上に敷設されるホースに着脱自在に被せられるホース保護カバーであって、
前記ホースの全体または一部を覆うようにその外側に被せされるスリーブ状のカバー本体と、そのカバー本体の表面に形成された注意喚起用の表示部とを備えたことを特徴とする表示付きホース保護カバー。
【請求項２】
請求項１に記載の表示付きホース保護カバーにおいて、
前記表示部に、文字または記号、マーク、ロゴのいずれか１つまたは複合して表示したことを特徴とする表示付きホース保護カバー。
【請求項３】
請求項１または２に記載の表示付きホース保護カバーにおいて、
前記表示部を、前記カバー本体の長さ方向または周方向に所定の間隔を隔てて複数設けたことを特徴とする表示付きホース保護カバー。
【考案の詳細な説明】
【技術分野】
【０００１】
本考案は、高圧洗浄ホース等のホース全体を覆うように装着されるホース保護カバーに関するものである。
【背景技術】
【０００２】
一般に市街地等における土木工事現場では、多くの通行人があるためその周囲にセーフティコーンやバリケードなどを設置して安全を確保している。また、配管洗浄作業等の現場では機材から延びる高圧洗浄ホースが歩道やビル・マンションの玄関等を横切るように敷設されるため、それに歩行者が躓いて転んだりしないようにその上をマットで覆ったり、その近傍に「足下注意」等の表示板を設置して注意喚起を行っている。
【０００３】
一方、高圧洗浄ホースなどのように地面を這うように敷設されるホースの場合は、作業の都度地面を引き摺られることでホース表面が摩耗することがある。このような摩耗や経年劣化が進行するとそれが原因でホースに孔があいたり破裂して高圧水が勢いよく噴出したり、内部流体が漏れて周囲を汚染してしまうおそれがある。そのため、例えば以下の特許文献１〜３等のように作業に入る前にホースの全体あるいはその一部を筒状の保護カバーで覆っておくことで万一ホースに孔があいたり破裂した場合でも内部流体が周囲に飛散しないように予防しておくことが望ましい。
【先行技術文献】
【特許文献】
【０００４】
【特許文献１】特開２０１７−１６０９６９号公報
【特許文献２】特表２００４−５３３５８５号公報
【特許文献３】実用新案登録第３１８７５６９号公報
【考案の概要】
【考案が解決しようとする課題】
【０００５】
ところで、洗浄用ホースのように長い距離に亘って地面を這うように一時的に敷設されるホースの場合、上記のように歩道や玄関のような通行量の多い箇所はその部分をマットで覆ったり、その近傍に「足下注意」等の表示板を設置して注意喚起を行っている。しかし、その他の部分、例えばマンションの廊下部分などは長い距離に亘ってそのままホースが剥き出し状態となっているため、作業員や歩行者がそれに気付かずに躓いたり引っ掛けたりすることがある。特に高圧洗浄ホースのような被覆材が黒くて外径が比較的細いホースは目立ち難いため、その可能性が高い。
【０００６】
そのため、通行量の多い箇所だけでなくホース全体をマットで覆ったりホース全長に沿って注意喚起用の表示板を所定の間隔で多数並べることも考えられるが、そうするとそのマットや表示板の設置や撤去作業に多くの手間を要し、作業効率が悪くなってしまう。
【０００７】
そこで、本考案はこれらの課題を解決するために案出されたものであり、その主な目的は、優れた安全性を確保しつつ歩行者などに対して効果的に注意喚起を行うことができる新規な表示付きホース保護カバーを提供するものである。
【課題を解決するための手段】
【０００８】
前記課題を解決するために第１の考案は、地面または床面上に敷設されるホースに着脱自在に被せられるホース保護カバーであって、前記ホースの全体または一部を覆うようにその外側に被せされるスリーブ状のカバー本体と、そのカバー本体の表面に形成された注意喚起用の表示部と備えたことを特徴とする表示付きホース保護カバーである。
【０００９】
このような構成によれば、カバー本体がホースの全体または一部を覆うことで万一そのホースに穴があいたり破裂した場合でも内部流体の飛散を防止できるだけでなく、そのカバー本体の表面に形成された注意喚起用の表示部によってそのホースの存在を目立たせることで歩行者などに対して効果的に注意を喚起することができる。
【００１０】
第２の考案は、第１の考案において、前記表示部に、文字または記号、マーク、ロゴのいずれか１つまたは複合して表示したことを特徴とする表示付きホース保護カバーである。このような構成によれば、よりわかりやすく歩行者に対して注意を喚起することができる。また、その表示部に保護カバーの製造元や作業を行う業者名などを表示すれば、注意喚起と同時に広告効果も発揮できる。
【００１１】
第３の考案は、第１または第２の考案において、前記表示部を、前記カバー本体の長さ方向または周方向に複数設けたことを特徴とする表示付きホース保護カバーである。このような構成によれば、どちらの方向からも表示部を視認しやすくなるため、カバー本体が捻れたりしたときでも優れた視認性を確保できる。
【考案の効果】
【００１２】
本考案によれば、ホースの外側に被せされるスリーブ状のカバー本体の表面に注意喚起用の表示部を設けたため、優れた安全性を確保しつつ歩行者などに対して効果的に注意喚起を行うことができる。また、多数のマットや表示板を設置したりその撤去作業が不要となるため、優れた作業効率を発揮できる。
【図面の簡単な説明】
【００１３】
【図１】本考案に係る表示付きホース保護カバー１００の実施の一形態を示す平面図である。
【図２】本考案に係る表示付きホース保護カバー１００の他の実施形態を示す平面図である。
【図３】本考案に係る表示付きホース保護カバー１００の他の実施形態を示す平面図である。
【図４】本考案に係る表示付きホース保護カバー１００の他の実施形態を示す展開図である。
【考案を実施するための形態】
【００１４】
以下、本考案の実施の形態を添付図面を参照しながら説明する。図１は本考案に係る表示付きホース保護カバー１００の実施の一形態を示したものである。図示するようにこの表示付きホース保護カバー１００は、路上やコンクリートなどの地面または建物の廊下などの床面上に一時的に敷設されるホース２００上に着脱自在に被せられて使用されるものであり、スリーブ状のカバー本体１０と、このカバー本体１０の表面に形成された注意喚起用の表示部２０とを備えて構成されている。
【００１５】
ホース２００は、特に限定されるものでなく前述したような高圧洗浄ホースや油圧ホースのように流体を流す目的のものの他に、ケーブル類、例えば高圧電線ケーブルや通信ケーブルなどのように電気や情報などを伝達するものも含む。
【００１６】
カバー本体１０は、軽量で強度が高くかつ柔軟な材料、例えばナイロン編組材やターボリン製のチューブ体などからなっており、その口径は３０ｍｍ〜８０ｍｍ、長さ５ｍ〜２０ｍ程度の大きさとなっている。このカバー本体１０は、前述したようにホース保護用カバーとして市販されていて比較的入手が容易であるが、その全体の色は黒色または灰色などの比較的目立ち難い色が殆どである。
【００１７】
表示部２０は、図示するようにこのカバー本体１０の表面に形成された矩形状のエリア、例えば幅４０ｍｍ〜５０ｍｍ×長さ８０ｍｍ〜１２０ｍｍの領域であり、そのカバー本体１０の長手方向に沿って所定の間隔、例えば１０ｃｍ〜１００ｃｍの間隔を隔てて複数形成されている。
【００１８】
また、この表示部２０は、廊下や階段などの暗い場所でも作業員や歩行者に視認されやすいように目立つ色、例えば白色や黄色、橙色、蛍光色などに着色されると共に、その表示部２０内には、注意を喚起する文字や記号が表示されている。図１の例では、そのエリアの中央に「足元注意」という文字が大きく表示されると共に、その近傍には英語やハングル語による同様の意味を持つ文字が表示されていて、外国人にもその意味が容易に認識できるようにしている。
【００１９】
この表示部２０をカバー本体１０の表面に設ける方法としては、特に限定されるものではないが例えばその表示部２０と同じ大きさのシートや布を制作してこれを接着剤で貼り付けたり縫い付けたりする方法の他に、シルク印刷やインクジャットプリンターなどによってカバー本体１０の表面に印刷（印字）する方法でもよい。
【００２０】
そして、この表示付きホース保護カバー１００の使用方法としては、例えば従来のものと同様に作業現場において作業を開始する前などにおいて、そのカバー本体１０の端部開口からホース２００のノズル先端を差し込んで被せ、そのカバー本体１０がホース２００全体または廊下などに位置する部分になるように任意に調整してそのホース２００上に取り付ける。
【００２１】
このように取り付けられた表示付きホース保護カバー１００は、保護カバーとしての本来の機能を発揮するだけでなく、比較的目立ち難いカバー本体１０の表面に明るい色の表示部２０を備えたため、その表示部２０が目立ってその近くの作業員や歩行者にその存在を知らしめて躓いたりしないように注意喚起を行うことができる。これによって安全性を確保できると共に、その全体に亘って多数のマットや表示板を設置したりその撤去作業を行う必要がなくなるため、優れた作業効率を発揮できる。
【００２２】
また、図２に示すようにこの表示部２０にそのホースの製造元や作業を行う業者名、ロゴなどを表示すれば、注意喚起と同時に広告効果も発揮できる。さらに、図３に示すようにこの表示部２０に文字だけでなく注意喚起を示すマークやピクトグラムなどを併用して表記すればよりわかりやすくできる。また、この表示部２０を、カバー本体１０の長さ方向に１０〜１００ｃｍの間隔を隔てて複数設ければ、視点の低い子どもに対してもその表示部２０の存在を知らしめて効果的に注意を喚起することができる。
【００２３】
この表示部２０の形状は矩形状だけでなく、その他の形状、例えば楕円形や三角形、星形などでもよく、また、図４に示すようにこの表示部２０をその長手方向だけでなくカバー本体１０の周方向にも複数設けるようにすれば、どちらの方向からも視認しやすくなるため、カバー本体１０が捻れたりしたときでも優れた視認性を確保できる。
【符号の説明】
【００２４】
１００…表示付きホース保護カバー
２００…ホース
１０…カバー本体
２０…表示部（注意喚起、広告）
【図１】
0003215047.tif 000003
【図２】
0003215047.tif 000004
【図３】
0003215047.tif 000005
【図４】
0003215047.tif 000006